(57)【要約】  【課題】  入隅部において、谷部から勢いよく流れてきた雨水の勢いを落として、その雨水をスムーズに軒樋の中に導き、しかも雪害にも強い軒樋構造を提供することが課題である。  【解決手段】  頂部分Ａ１１と、頂部分Ａ１１から左右外側方向に折り下げられた傾斜面Ａ１２・Ａ１２とから成っていて、水下側が、軒樋３の中に雨水を導くことができる形状に形成された突部Ａ１が形成された入隅部材Ａを用い、突部Ａ１の後端が谷板１の水下側の中央部近傍に位置し、前端が軒樋３の前端近傍に位置し、頂部分Ａ１１が谷板よりも低い位置になるように、軒樋上の入隅部に取り付ける。  【選択図】  図５
2006328801.tif 000002
【特許請求の範囲】
【請求項１】
入隅部材が用いられる軒樋構造であって、 
前記入隅部材には突部が形成されており、
該突部は、
頂部分と、
頂部分から左右外側方向に折り下げられた傾斜面とから成っており、
前記突部の水下側は、軒樋内に雨水を導くことができる形状に形成されており、
該入隅部材が軒樋上の入隅部に取り付けられたときに、
前記突部の後端は谷板水下側の中央部近傍に位置しており、
前記突部の前端は軒樋の前端近傍に位置しており、
前記突部の頂部分は谷板よりも低い位置に取り付けられることを特徴とする軒樋構造。
【請求項２】
請求項１記載の軒樋構造であって、
軒樋上には、前端が円弧状である軒樋カバーがかぶせられていることを特徴とする軒樋構造。
【発明の詳細な説明】
【技術分野】
【０００１】
本発明は、軒樋構造であって、特に入隅部材を用いた入隅部の構造に関するものである。
【背景技術】
【０００２】
従来の技術について、図１３に基づいて説明する（特許文献１参照）。これは、特開２０００−１３６６０４号公報の図５（ａ）に示された軒樋用入隅カバー材Ｂである。この軒樋用入隅カバー材Ｂは、扁平な略Ｖ字状の平面部Ｂ２を有しており、平面部Ｂ２の中央部分の水下側には、明細書の記載によれば、「雪割り用」の突片Ｂ１が設けられている。
そして、このような軒樋用入隅カバー材Ｂが、入隅部に設置された曲がり樋に固定され、さらに軒樋用入隅カバー材Ｂの左右には、軒樋カバーが接続されている。
【０００３】
図１４は他の従来技術である（特許文献２参照）。これは、実用新案登録第２５８５７７４号に示された雨水案内具Ｃである。この雨水案内具Ｃは、その請求の範囲によれば、「軒先に向かって拡開すると共に上り傾斜となった平面視略三角形状で、その両側外面を雨水案内傾斜面として形成した」ものである。
この雨水案内具Ｃは、谷部に集中する雨水が、谷部の軒先から多量にまとまって落下するのを防止するために、屋根材５上の軒先に設置されている。
【特許文献１】特開２０００−１３６６０４号公報（図５（ａ））
【特許文献２】実用新案登録第２５８５７７４号公報（図１）
【発明の開示】
【発明が解決しようとする課題】
【０００４】
図１３の軒樋用入隅カバー材Ｂは、扁平な略Ｖ字状の平面部Ｂ２を有しており、大きな面積を占める平面部Ｂ２に対して、小さな突片Ｂ１が水下側中央部分に設けられており、突片Ｂ１の水上側が尖っていて、雨水や雪を左右に分ける形状になっている。
このため、水下側に向かって谷部を流れて来た雨水は、特開２０００−１３６６０４号公報が課題として挙げている通り、平面部Ｂ２を乗り越えてしまい、軒樋にははいらずに軒下に落ちてしまう恐れがあった。
また、突片Ｂ１の水上側突端が集中して積雪荷重を受けることになり、軒樋用入隅カバー材Ｂごと外れる恐れがあった。
【０００５】
図１４の雨水案内具Ｃは、屋根材５上の軒先に設置されており、雨水は雨水案内傾斜面Ｃ３を滑るようにして勢いよく軒下に飛び出していくことがあった。
また、図１４の雨水案内具Ｃは、「軒先に向かって拡開すると共に上り傾斜となった平面視略三角形状で、その両側外面を雨水案内傾斜面として形成した」ものである。このため、略三角形状の雨水案内傾斜面Ｃ３は、雪が集中する谷部において雪止めのような役目を果たして抵抗を受け、外れやすいという問題もあった。さらに、屋根材と雨水案内具の下面との隙間を無くさないと、その隙間の雪が凍ったときに外れやすくなるため、屋根材ごとにそのような形状に設計する必要があった。
【０００６】
本願は、谷部を、軒先に向かって流れて来た雨水の勢いを落とし、軒樋の中へスムーズに導くための入隅部材を用いた軒樋構造であって、しかも、雪害にも強いものを提供することを目的とする。
【課題を解決するための手段】
【０００７】
上記の課題を解決するために、次のような入隅部材を用いる。
その入隅部材は、軒樋上の入隅部に取り付けられるが、突部を有している。その突部は、頂部分と、頂部分から左右外側方向に折り下げられた傾斜面とから成っている。そして、突部の水下側は、軒樋内に雨水を導くことができる形状に形成されている。
このような形状の入隅部材を、軒樋上の入隅部に取り付けた軒樋構造とすることで、課題を解決しているのが、請求項１に記載した軒樋構造である。
そして、その軒樋構造は、前記入隅部材が軒樋上の入隅部に取り付けられたときに、突部の後端は谷板の水下側の中央部近傍に位置しており、突部の前端は軒樋の前端近傍に位置しており、突部の頂部分は谷板よりも低い位置に取り付けられることを特徴としている。
【０００８】
請求項２に記載した軒樋構造は、請求項１に記載した軒樋構造において、特に、前端が円弧状である軒樋カバーをかぶせることで、課題を解決するためにいっそう工夫したものである。
【発明の効果】
【０００９】
図１３の軒樋用入隅カバー材は、扁平な略Ｖ字状の平面部を有しており、大きな面積を占める平面部に対して、小さな突片が軒側中央部分に設けられており、突片の水上側が尖っていて、雨水や雪を左右に分ける形状になっている。
このため、軒先に向かって谷部を流れて来た雨水は、特開２０００−１３６６０４号公報で課題として挙げている通り、平面部を乗り越えてしまい、軒樋にははいらずに軒下に落ちてしまう恐れがあった。
しかし、本願によれば、水下側に向かって谷部を流れて来た雨水が飛び出した場合には、雨水は、突部に接触して勢いが落ち、すぐに左右に分かれ、分かれた雨水は、軒樋にスムーズに導かれる。
また、図１３の場合には、突片の水上側突端が集中して積雪荷重を受けることになり、軒樋用入隅カバー材ごと外れる恐れがあった。
これに比べて本願の突部は、後端が谷板の水下側の中央部近傍に位置していて、水上側に図１３のような突端を有していないので、谷部を軒先に向かって滑って来る雪に対しての抵抗が少なく、従って、入隅部材が破損する恐れが少ない。
【００１０】
図１４の雨水案内具は本願と類似した形状をしているものの、本願とは異なり屋根材上の先端に設置されており、雨水は雨水案内傾斜面を滑るようにして勢いよく軒下に飛び出していくことがあった。
しかし、本願の突部は、谷部から飛び出した雨水をそこにすぐに当てて左右に分散させることを目的としており、勢いよく流れて来た雨水は、すぐに突部に当たって左右に分散され、軒樋に導かれる。
また、図１４の雨水案内具は、「軒先に向かって拡開すると共に上り傾斜となった平面視略三角形状で、その両側外面を雨水案内傾斜面として形成した」ものである。このため、略三角形状の雨水案内傾斜面は、雪が集中する谷部において雪止めのような役目を果たして抵抗を受け、外れやすいという問題もあった。さらに、屋根材と雨水案内具の下面との隙間を無くさないと、その隙間の雪が凍ったときに外れやすくなるため、屋根材ごとにそのような形状に設計する必要があった。
しかし、本願の入隅部材は、雪国に見られる雪割り棟のような形状をしており、その突部の後端が谷板の水下側の中央部近傍に位置しているので、谷部を軒先に向かって滑って来る雪に対して抵抗が少なく、破損しにくい。
【００１１】
このように本願は入隅部の軒樋構造において、谷部から飛び出した雨水の勢いを落とし、軒樋へスムーズに導き、しかも、雪害にも強い軒樋構造を提供することができる。
請求項に基づいて説明すると、本願の軒樋構造に用いる入隅部材は、軒樋上の入隅部に取り付けられるが、突部を有している。その突部は、頂部分と、頂部分から左右外側方向に折り下げられた傾斜面とから成っている。そして、突部の水下側は、軒樋内に雨水を導くことができる形状に形成されている。
このような形状の入隅部材を軒樋上の入隅部に取り付けたときに、谷部に集中した雨水が谷板の水下側の中央部から飛び出したとしても、突部の後端は谷板の水下側の中央部近傍に位置しており、突部の頂部分は谷板よりも低い位置に取り付けられているので、谷部から勢いよく飛び出した雨水を頂部分でほとんど受けることができ、頂部分に接触した雨水の勢いを落とすことができる。そして、頂部分から傾斜面を伝わって軒樋内にスムーズに導かれる。また、突部の水下側は雨水を軒樋内に導くことができる形状に形成されていて、前端は軒樋の前端近傍に位置しているため、傾斜面を水下側に向かって雨水が走ったとしても、軒樋の中に雨水がはいっていく。
しかも、従来技術とは異なり、入隅部材の突部の後端が谷板の水下側の中央部近傍に位置し、頂部分が谷板よりも低い位置となるように取り付けられるため、谷部を軒先に向かって滑って来た雪に対して抵抗が少なく、入隅部材が雪で壊れにくい軒樋構造となっている。
【００１２】
請求項２に基づいて説明すると、請求項１の軒樋構造に、さらに、前端が円弧状である軒樋カバーをかぶせることで、突部に接触させられて勢いの落ちた雨水が、軒樋カバーの前端を伝わっていっそうスムーズに軒樋に導かれる。そして、雪は軒樋カバーの前端に添って軒下に滑って落ちていくので、雪の重みで軒樋が壊れにくいという効果も高まる。
【実施例１】
【００１３】
本願の第一実施例について、図１から図５をもとに説明する。図１は、本願の軒樋構造に用いられる入隅部材の実施例の説明図であり、図２から図５はその施工状態を説明するための図である。図２は施工状態を示す説明図であり、図３は各部材についての説明図であり、図４は入隅部材を取り付ける前の状態を示す説明図であり、図５は、入隅部材を取り付けたあとの状態を示す説明図である。
【００１４】
本願の第一実施例の軒樋構造に用いられる、入隅部材の実施例について、図に基づいて説明する。まず、図１により説明する。ここに示した入隅部材Ａは、次のような構成になっている。本実施例の場合には金属板でできており、軒樋上に位置する部分と、正面に位置する部分とが別体でできている。断面略逆Ｖ字状の突部Ａ１と、その左右の載置面Ａ４・Ａ４と、載置面Ａ４の水上側を立ち上げた立ち上げ面Ａ５とで一部材としている。突部Ａ１は、頂部分Ａ１１と頂部分Ａ１１の左右から外側方向に折り下げられた傾斜面Ａ１２・Ａ１２とから成っており、傾斜面Ａ１２・Ａ１２には内側方向にくぼんでいるリブＡ１４・Ａ１４が形成されている。このように、突部Ａ１は、頂部分Ａ１１と傾斜面Ａ１２・Ａ１２とで、雪国に見られる雪割り棟のような形状をしている。突部Ａ１の内側は空洞でもよいし、ふさがっていてもよい。
また、軒側面Ａ２と軒側面Ａ２から延出して折り下げられた下がり辺Ａ６とで一部材としている。軒側面Ａ２は下方に行くに連れて外側方向に開いており、下がり辺Ａ６は、軒樋カバー４の前端の形状に添うように湾曲している。そして、傾斜面Ａ１２と傾斜面Ａ１２との間に軒側面Ａ２が組み合わせられており、本実施例の場合には、傾斜面Ａ１２・Ａ１２と軒側面Ａ２とを止着具８で接続することで入隅部材Ａを成している。
本実施例の場合には二部材から成っており、比較的薄い金属板でできているが、金属製で一部材から成るものでもよいし、硬質樹脂等で製作してもよい。
【００１５】
このような入隅部材Ａの施工状態について、図２から図５に基づいて説明する。まず、入隅部材Ａを施工する前の状態について、各部材を説明し、続いて取り付け順序に従って説明する。
図２に示した通り、鼻隠し７に、軒樋取り付け金具２が取り付けられ、さらに軒樋カバー３が取り付けられている。この軒樋取り付け金具２は、軒樋吊り金具２２と固定金具２１とから成っている。軒樋吊り金具２２には面部２２ａが形成されており、その上縁は、軒樋カバー４を取り付けることができる形状に形成されている。また、軒樋吊り金具２２の面部２２ａの下方には、軒樋取り付け部２２ｂが形成されており、軒樋吊り金具２２の面部２２ａには、軸穴と係止穴が設けられている。
さらに軒樋取り付け金具２の軒樋取り付け部２２ｂには、軒樋押さえ金具２２ｃが、回動可能に取り付けられている。
固定金具２１は、面板部２１ａと、固定面２１ｂとを有しており、面板部２１ａには、軒樋吊り金具２２の軸穴に対応する位置に軸穴が、軒樋吊り金具２２の係止穴に対応する位置に係止穴が、それぞれ設けられており、係止穴は長穴である。軒樋取り付け金具２は、軒樋吊り金具２２の軸穴と固定金具２１の軸穴とを合わせて、軸ピン２０を通し、軒樋吊り金具２２の係止穴に固定金具２１の係止穴を合わせ、ボルトを通し、軒樋吊り金具２２と固定金具２１とを組み合わせて成っている。
【００１６】
次に、軒樋カバー４について説明する。この軒樋カバー４は、軒樋カバー上面４１と、水上側の軒樋カバー湾曲部４２とを有している。
また、前述の通り、軒樋吊り金具２２と固定金具２１をあらかじめ組み合わせておくが、軸ピンを中心にして回動させ、固定金具２１の係止穴を鼻隠し７の角度に合わせて適宜選んで、軒樋吊り金具２２の係止穴に合わせることで、鼻隠し７の勾配に合わせて軒樋吊り金具２２の角度を調整しておくことができる。
このようにして軒樋吊り金具２２と固定金具２１が組み合わせられた軒樋取り付け金具２を、鼻隠し７に固定するが、固定金具２１の固定面２１ｂを鼻隠し７に止着具等で固定することで取り付けていく。
軒樋カバー４をはめる際には、軒樋カバー後端４３を軒樋吊り金具２２の上縁後端に引っ掛ける。そして、軒樋カバー４を上から押して、軒樋カバー水下端部４４を軒樋吊り金具２２の上縁に沿って斜め下方に滑らせ、スプリングバックの力で元の状態に戻りながら、軒樋吊り金具２２にはまるようにする。
【００１７】
このように、軒樋カバー４をはめることで、軒樋吊り金具２２を隠して軒先の美観を向上させるとともに、軒樋カバー４と軒樋３との隙間からは、湾曲している軒樋カバー４の前端を伝わって雨水がはいり、雪は軒樋カバー４の上を滑って軒下に落ちて軒樋取り付け金具２を壊すことのないようなものとなっている。
このような仕組みの軒樋構造において、特に入隅部に、本実施例の入隅部材Ａを用いた場合には、図２や図５に示した通り、後から軒樋カバー４の上に載せて固定するので、入隅部の左右の軒樋カバー４・４の切り口は隠れてしまう。従って、入隅部材Ａの下側となる軒樋カバー４・４の端部は、図３のようにまっすぐにきれいに切らなくてもよい。図４のような状態でもよい。しかも、下がり辺Ａ６が形成されていることで、いっそう美観を向上させることができる。
もし、入隅部材Ａを先に入隅部の軒樋上に取り付け、あとから軒樋カバー４を取り付けるならば、入隅部の左右の軒樋カバー４・４の切り口が見えることになる。この場合には、軒樋カバー４のそれぞれの端部をまっすぐに、きれいに切る必要があり、手間がかかる。
【００１８】
続いて入隅部材Ａを、軒樋カバー４の上に取り付ける。載置面Ａ４・Ａ４の水上側に形成されている立ち上げ面Ａ５・Ａ５を、軒樋カバー４の水上側の立ち上げ面に沿うように取り付ける。また、下がり辺Ａ６が軒樋カバー４の前端に沿うように取り付ける。
そして、入隅部材Ａの載置面Ａ４・Ａ４には穴Ａ７があけられているので、この穴Ａ７に止着具８を通して軒樋カバー４に取り付ける。本実施例の場合には、このように取り付けるが、接着剤を使用する等、別の方法で取り付けてもよい。
このように、本実施例の場合には、軒樋カバー４・４の切り口を隠して意匠性を向上させることができ、しかも施工手間がかからないという利点もある。
【００１９】
このようにして入隅部材Ａを取り付けたあとの、雨水の流れについて説明する。谷部を流れて来た雨水は、勢いよく谷部の軒先から飛び出す。図５において、谷板１から飛び出した雨水は、入隅部材Ａの突部Ａ１の頂部分Ａ１１にぶつかり、谷板１の中央部を流れて来た水がすぐに分かれる。このため、突部Ａ１の頂部分Ａ１１にぶつかった雨水の勢いが落ちる。勢いが落ちた雨水は、傾斜面Ａ１２・Ａ１２を伝わり、載置面Ａ４・Ａ４や軒樋カバー４の上に流れ、軒樋カバー湾曲部４２を伝わって軒樋３内へはいっていく。
また、傾斜面Ａ１２・Ａ１２を水下側に向かって雨水が多少伝わったとしても、軒側面Ａ２が形成されており、しかも外側方向に向かって開き気味になっており、さらに軒側面Ａ２からは軒樋カバー４の前端の形状に沿った下がり辺Ａ６が延出されているので、雨水は、軒樋３内にスムーズに導かれる。そのうえ、傾斜面Ａ１２・Ａ１２には、リブＡ１４が形成されているので、雨水の勢いをいっそう落とすことができる。
もし突部Ａ１の頂部分Ａ１１が平らであったり、鋭角ではなく円弧状であったならば、谷部から飛び出した雨水は、円弧状の上面を滑って軒下に飛び跳ねてしまい、目的を達成することができない。
【００２０】
図１３や図１４に示した従来技術のものは、谷部に集まった雨水を左右に分けることだけが目的であり、谷部から落ちてきた雨水を頂部分Ａ１１に接触させるという発想はない。このため、雨水は左右に分かれるだけで、勢いは落ちにくい。
しかし、本願の入隅部材Ａは、入隅部の軒樋上に設置され、谷部から飛び出した雨水を突部Ａ１の頂部分Ａ１１に接触させてすぐに左右に分けるので、勢いを落とすという目的を果たす。勢いが強い場合には、頂部分Ａ１１の水下側に雨水が落ち、勢いが弱い場合には、頂部分Ａ１１の水上側に落ちる。突部Ａ１は、後端が谷板１の水下側中央部近傍に位置するので、雨水の勢いが弱い場合でも、頂部分Ａ１１に当たることになり、雨水は左右に分かれて流れていく。
このように、突部Ａ１の形状が異なり、また突部Ａ１の位置も前述の通りなので、谷部から飛び出した雨水を確実に受け止めることができ、従って確実に勢いを落とすこともでき、しかも水上側からの雨水を突部Ａ１の水下側や傾斜面Ａ１２・Ａ１２からスムーズに軒樋内に導くことができるという、従来技術にはない作用効果を発揮する。
また、本実施例の入隅部材Ａは、雪に強いという特徴も持つ。本実施例の入隅部材Ａの突部Ａ１は頂部分Ａ１１と傾斜面Ａ１２・Ａ１２とから成っていて、軒樋カバー４の水上側から水下側までの幅とほぼ同じ長さであり、鋭角な山を築いており、左右両側から雪に押されてもつぶれにくいからである。
従来技術のように水上側の突端がなく、取り付け位置も、突部Ａの後端が谷板１の水下側中央部近傍であり、頂部分Ａ１１が谷板１よりも低いため、谷部を軒先に向かって滑って来た雪は頂部分Ａ１１で割れ、傾斜面Ａ１２・Ａ１２に沿って水下側に滑っていく。
このように、本願の軒樋構造に用いる入隅部材Ａは、図１３のように、水下側に向かって開いていて垂直の側面を有し、雪の抵抗を受けやすい小さな突片が水下側中央部に設けられたものではない。また、図１４のように、雪止めのような役目を果たす形状ではなく、取り付け位置も谷部の軒先の屋根板上ではない。本願の軒樋構造に用いる入隅部材Ａは、雪割り棟のような形状をしていて、しかも、突部Ａ１の後端が谷板１の水下側中央部近傍に位置しており、頂部分Ａ１１は谷板１よりも低く位置しているため、谷部を軒先に向かって滑って来る雪に対しての抵抗が少なく、従って、雪で破損しにくい。
【００２１】
つまり、本願の軒樋構造に用いられる入隅部材Ａは突部Ａ１を有しており、その突部Ａ１は、頂部分Ａ１１と、頂部分Ａ１１から左右外側方向に折り下げられた傾斜面Ａ１２・Ａ１２とから成っている。そして、本実施例の場合には、突部Ａ１の水下側は、軒樋３内にスムーズに雨水を導くことができるように、軒側面Ａ２を形成しており、さらに、下がり辺Ａ６が延出された形状になっている。
そして、このような形状の入隅部材Ａが、突部Ａ１の後端が谷板１の水下側中央部近傍に位置し、突部Ａ１の前端が軒樋３の前端近傍に位置し、突部Ａ１の頂部分Ａ１１が谷板１よりも低い位置になるように、軒樋上の入隅部に取り付ける。
さらに、本実施例の場合には、前端が円弧状である軒樋カバー４をかぶせてある。このような軒樋構造であるため、突部Ａ１の頂部分Ａ１１に接触させられて勢いの落ちた雨水が、軒樋カバー湾曲部４２を伝わっていっそうスムーズに軒樋に導かれる。そして、雪は軒樋カバー４の前端に添って軒下に滑って落ちていくので、雪の重みで軒樋３や軒樋取り付け金具２が壊れるようなことがなくなる。
入隅部材Ａの突部Ａ１の後端が谷板１の水下側中央部近傍にあり、頂部分Ａ１１が谷板１よりも低く位置しているので、谷部から飛び出した雨水を確実に受け止めてすぐに左右に分かれさせることができる。
また、突部Ａ１の前端が軒樋３の前端の近傍に位置するため、本実施例の入隅部材Ａのように、湾曲している下がり辺６が形成されていて、軒樋３よりわずかに水下側に出ていても、雨水は軒樋３に導かれる。第一実施例の軒樋構造は、このような構造となっている。
【実施例２】
【００２２】
本願の軒樋構造の他の実施例は、隅部材Ａの形状が異なった実施例であり、特に、入隅部材Ａについて、図６から図１２により説明する。これらの入隅部材Ａの取り付け方法は、第一実施例と類似するので、説明及び図面を省略する。
まず、第二実施例の軒樋構造について、図６により説明する。
ここに示した軒樋構造には、軒樋カバー４が取り付けられていない。このため、本実施例に用いられる入隅部材Ａは、軒樋カバー４に載せるための載置面Ａ４・Ａ４が無い。本実施例の入隅部材Ａには固定部Ａ８が形成されており、それらを軒樋３・３にはめて固定させて用いる。
本実施例は、軒樋カバー４が無くても、谷板１の水下側中央部からの雨水が突部Ａ１の頂部分Ａ１１に接触することで雨水の勢いが落ち、雪害にも強い形状や位置であることを示す例である。また、
本実施例の場合にも、突部Ａ１に接触させられた雨水が勢いを落としてすぐに左右に分かれ、傾斜面Ａ１２・Ａ１２を伝わったり、軒側面Ａ２を伝わったりして軒樋３・３の中にはいっていく。また、本実施例の入隅部材Ａには、下がり辺Ａ６が形成されていないが、突部Ａ１の水下側前端である軒側面Ａ２の下縁が軒樋の前端近傍に位置しているため、雨水は、軒樋３の中に導かれる。
雪も、突部Ａ１の頂部分Ａ１１で割れるので、入隅部材Ａが壊れにくい。
【実施例３】
【００２３】
第三実施例の軒樋構造について、図７により説明する。この軒樋構造に用いられる入隅部材Ａは、突部Ａ１に傾斜面Ａ１２・Ａ１２を形成したのちに、その下縁を垂下させた面を形成している。
たとえば、逆Ｕ字状の突部Ａ１のように、側面が傾斜していない場合には、ほぼ垂直の面を雨水が水下側に向かって走ってしまうことがある。
しかし、本実施例のように、側面の下方がわずかに垂直になっているような場合には、そのようなことにはなりにくいので、本実施例のような形状でもよい。
【実施例４】
【００２４】
第四実施例の軒樋構造について、図８により説明する。本実施例に用いられる入隅部材Ａには、下がり辺Ａ６が形成されていない。
このような例であっても、谷部から飛び出した雨水は、突部Ａ１の頂部分Ａ１１に接触させられることで勢いが落ち、傾斜面Ａ１２・Ａ１２を滑って載置面Ａ４・Ａ４を伝わって軒樋３の中に導かれる。
また、傾斜面Ａ１２・Ａ１２を水下側に向かって雨水が走ったとしても、軒側面Ａ４が形成されているので、軒側面Ａ４を伝わって、雨水は軒樋３の中に導かれる。
本実施例は、下がり辺Ａ６が形成されていなくても、少なくとも、突部Ａ１の頂部分Ａ１１に雨水がぶつかって勢いを落とすことができればよいという例を示している。
本実施例の入隅部材Ａは、第一実施例の軒樋構造で示した入隅部材Ａとは異なり、一部材から成っている。
ただし、第一実施例の下がり辺Ａ６は、入隅部材Ａの下側に位置する軒樋３・３の端部がきれいに切断されていなくても、それを隠すことができる。さらに軒樋の前端の湾曲に添った形状にしてあれば、そこを伝わって、雨水が軒樋の中にいっそうはいりやすい。
【実施例５】
【００２５】
第五実施例の軒樋構造について、図９により説明する。本実施例の入隅部材Ａには、突部Ａ１の水下側を塞いでいる軒側面Ａ２がない。また、下がり辺６も無い。しかし、突部Ａ１の頂部分Ａ１１にぶつかった雨水はすぐに勢いを落として左右に分かれるという機能は有している。
また、傾斜面Ａ１２・Ａ１２を水下側に向かって雨水が走ったとしても、巻き込み辺Ａ１３が形成されていることで、巻き込み辺Ａ１３を伝わった雨水は、その端部から入隅部材Ａの突部Ａ１の内側に入り込み、軒樋３に導かれる。
【実施例６】
【００２６】
第六実施例の軒樋構造について、図１０により説明する。この図は、取り付けたときに水上側となる方向から見た状態を示している。本実施例の入隅部材Ａは、棟側面Ａ３を有しており、さらに、棟側面Ａ３の下縁も立ち上げられている。この箇所の立ち上げ面Ａ５は略逆Ｖ字状をしており、入隅部の形状に沿っている。
このため、谷部を飛び出した雨水が突部Ａ１の水上側に回って、軒先唐草６と突部Ａ１との間に落ちた場合、この箇所の立ち上げ面Ａ５により雨水が水下側に戻され、左右の載置面Ａ４・Ａ４を伝わって軒樋３の中にはいる。雨水が突部Ａ１の後ろ側に回って鼻隠し７を濡らすことが、ほとんどなくなる。
【実施例７】
【００２７】
第七実施例の軒樋構造について、図１１により説明する。本実施例の入隅部材Ａは、軒側面Ａ２が緩やかな円弧を描き、球体の一部であるかのような形状になっていることを特徴としている。また、軒側面Ａ２から下がり辺Ａ６にかけても、折り目なく滑らかに続いている。このため、雨水は、いっそう軒樋３にはいりやすくなる。
【実施例８】
【００２８】
第八実施例の軒樋構造について、図１２により説明する。本実施例の入隅部材Ａは、突部Ａ１の水上側と水下側が同じ幅ではなく、水下側にいくにつれて広がっている。このことにより、同じ幅の場合よりも、雨水を軒樋３の中に導きやすい。
【図面の簡単な説明】
【００２９】
【図１】本願の第一実施例の軒樋構造に用いられる入隅部材Ａの実施例の説明図である。
【図２】第一実施例の軒樋構造を示す説明図である。
【図３】本願の軒樋構造に用いられる各部材についての説明図である。
【図４】第一実施例の軒樋構造において、入隅部材を取り付ける前の状態を示す説明図である。
【図５】第一実施例の軒樋構造において、入隅部材を取り付けたあとの状態を示す説明図である。
【図６】本願の軒樋構造に用いられる入隅部材Ａの他の実施例の説明図である。
【図７】本願の軒樋構造に用いられる入隅部材Ａの他の実施例の説明図である。
【図８】本願の軒樋構造に用いられる入隅部材Ａの他の実施例の説明図である。
【図９】本願の軒樋構造に用いられる入隅部材Ａの他の実施例の説明図である。
【図１０】本願の軒樋構造に用いられる入隅部材Ａの他の実施例の説明図である。
【図１１】本願の軒樋構造に用いられる入隅部材Ａの他の実施例の説明図である。
【図１２】本願の軒樋構造に用いられる入隅部材Ａの他の実施例の説明図である。
【図１３】従来技術を示す説明図である。
【図１４】従来技術を示す説明図である。
【符号の説明】
【００３０】
Ａ      入隅部材  
Ａ１    突部
Ａ１１  頂部分
Ａ１２  傾斜面
Ａ１３  巻き込み辺
Ａ１４  リブ
Ａ２    軒側面
Ａ３    棟側面
Ａ４    載置面
Ａ５    立ち上げ面
Ａ６    下がり辺
Ａ７    穴
Ａ８    固定部
Ｂ      軒樋用入隅カバー材
Ｂ１    突片
Ｂ２    平面部
Ｃ      雨水案内具
Ｃ３    雨水案内傾斜面
１      谷板
２      軒樋取り付け金具
２０    軸ピン
２１    固定金具
２１ａ  面板部
２１ｂ  固定面
２２    軒樋吊り金具
２２ａ  面部
２２ｂ  軒樋取り付け部
２２ｃ  軒樋押さえ金具
３      軒樋
４      軒樋カバー
４１    軒樋カバー上面
４２    軒樋カバー湾曲部
４３    軒樋カバー後端
４４    軒樋カバー水下端部
５      屋根材
６      軒先唐草
７      鼻隠し
８      止着具
【図１】
2006328801.tif 000003
【図２】
2006328801.tif 000004
【図３】
2006328801.tif 000005
【図４】
2006328801.tif 000006
【図５】
2006328801.tif 000007
【図６】
2006328801.tif 000008
【図７】
2006328801.tif 000009
【図８】
2006328801.tif 000010
【図９】
2006328801.tif 000011
【図１０】
2006328801.tif 000012
【図１１】
2006328801.tif 000013
【図１２】
2006328801.tif 000014
【図１３】
2006328801.tif 000015
【図１４】
2006328801.tif 000016
【手続補正書】
【提出日】平成17年6月1日(2005.6.1)
【手続補正１】
【補正対象書類名】明細書
【補正対象項目名】００１５
【補正方法】変更
【補正の内容】
【００１５】
このような入隅部材Ａの施工状態について、図２から図５に基づいて説明する。まず、入隅部材Ａを施工する前の状態について、各部材を説明し、続いて取り付け順序に従って説明する。
図２に示した通り、鼻隠し７に、軒樋取り付け金具２が取り付けられ、さらに軒樋カバー４が取り付けられている。この軒樋取り付け金具２は、軒樋吊り金具２２と固定金具２１とから成っている。軒樋吊り金具２２には面部２２ａが形成されており、その上縁は、軒樋カバー４を取り付けることができる形状に形成されている。また、軒樋吊り金具２２の面部２２ａの下方には、軒樋取り付け部２２ｂが形成されており、軒樋吊り金具２２の面部２２ａには、軸穴と係止穴が設けられている。
さらに軒樋取り付け金具２の軒樋取り付け部２２ｂには、軒樋押さえ金具２２ｃが、回動可能に取り付けられている。
固定金具２１は、面板部２１ａと、固定面２１ｂとを有しており、面板部２１ａには、軒樋吊り金具２２の軸穴に対応する位置に軸穴が、軒樋吊り金具２２の係止穴に対応する位置に係止穴が、それぞれ設けられており、係止穴は長穴である。軒樋取り付け金具２は、軒樋吊り金具２２の軸穴と固定金具２１の軸穴とを合わせて、軸ピン２０を通し、軒樋吊り金具２２の係止穴に固定金具２１の係止穴を合わせ、ボルトを通し、軒樋吊り金具２２と固定金具２１とを組み合わせて成っている。
【手続補正２】
【補正対象書類名】明細書
【補正対象項目名】００１６
【補正方法】変更
【補正の内容】
【００１６】
次に、軒樋カバー４について説明する。この軒樋カバー４は、軒樋カバー上面４１と、水下側の軒樋カバー湾曲部４２とを有している。
また、前述の通り、軒樋吊り金具２２と固定金具２１をあらかじめ組み合わせておくが、軸ピンを中心にして回動させ、固定金具２１の係止穴を鼻隠し７の角度に合わせて適宜選んで、軒樋吊り金具２２の係止穴に合わせることで、鼻隠し７の勾配に合わせて軒樋吊り金具２２の角度を調整しておくことができる。
このようにして軒樋吊り金具２２と固定金具２１が組み合わせられた軒樋取り付け金具２を、鼻隠し７に固定するが、固定金具２１の固定面２１ｂを鼻隠し７に止着具等で固定することで取り付けていく。
軒樋カバー４をはめる際には、軒樋カバー後端４３を軒樋吊り金具２２の上縁後端に引っ掛ける。そして、軒樋カバー４を上から押して、軒樋カバー水下端部４４を軒樋吊り金具２２の上縁に沿って斜め下方に滑らせ、スプリングバックの力で元の状態に戻りながら、軒樋吊り金具２２にはまるようにする。
【手続補正３】
【補正対象書類名】明細書
【補正対象項目名】００２２
【補正方法】変更
【補正の内容】
【００２２】
本願の軒樋構造の他の実施例は、入隅部材Ａの形状が異なった実施例であり、特に、入隅部材Ａについて、図６から図１２により説明する。これらの入隅部材Ａの取り付け方法は、第一実施例と類似するので、説明及び図面を省略する。
まず、第二実施例の軒樋構造について、図６により説明する。
ここに示した軒樋構造には、軒樋カバー４が取り付けられていない。このため、本実施例に用いられる入隅部材Ａは、軒樋カバー４に載せるための載置面Ａ４・Ａ４が無い。本実施例の入隅部材Ａには固定部Ａ８が形成されており、それらを軒樋３・３にはめて固定させて用いる。
本実施例は、軒樋カバー４が無くても、谷板１の水下側中央部からの雨水が突部Ａ１の頂部分Ａ１１に接触することで雨水の勢いが落ち、雪害にも強い形状や位置であることを示す例である。 
本実施例の場合にも、突部Ａ１に接触させられた雨水が勢いを落としてすぐに左右に分かれ、傾斜面Ａ１２・Ａ１２を伝わったり、軒側面Ａ２を伝わったりして軒樋３・３の中にはいっていく。また、本実施例の入隅部材Ａには、下がり辺Ａ６が形成されていないが、突部Ａ１の水下側前端である軒側面Ａ２の下縁が軒樋の前端近傍に位置しているため、雨水は、軒樋３の中に導かれる。
雪も、突部Ａ１の頂部分Ａ１１で割れるので、入隅部材Ａが壊れにくい。
【手続補正４】
【補正対象書類名】明細書
【補正対象項目名】００２４
【補正方法】変更
【補正の内容】
【００２４】
第四実施例の軒樋構造について、図８により説明する。本実施例に用いられる入隅部材Ａには、下がり辺Ａ６が形成されていない。
このような例であっても、谷部から飛び出した雨水は、突部Ａ１の頂部分Ａ１１に接触させられることで勢いが落ち、傾斜面Ａ１２・Ａ１２を滑って載置面Ａ４・Ａ４を伝わって軒樋３の中に導かれる。
また、傾斜面Ａ１２・Ａ１２を水下側に向かって雨水が走ったとしても、軒側面Ａ２が形成されているので、軒側面Ａ２を伝わって、雨水は軒樋３の中に導かれる。
本実施例は、下がり辺Ａ６が形成されていなくても、少なくとも、突部Ａ１の頂部分Ａ１１に雨水がぶつかって勢いを落とすことができればよいという例を示している。
本実施例の入隅部材Ａは、第一実施例の軒樋構造で示した入隅部材Ａとは異なり、一部材から成っている。
ただし、第一実施例の下がり辺Ａ６は、入隅部材Ａの下側に位置する軒樋３・３の端部がきれいに切断されていなくても、それを隠すことができる。さらに軒樋の前端の湾曲に添った形状にしてあれば、そこを伝わって、雨水が軒樋の中にいっそうはいりやすい。